(57)【要約】【課題】効率的に通信エリアマップの作成を行う。【解決手段】複数の基地局は、無線端末に対して同時に第１の信号を送信し、複数の位置において複数の基地局それぞれから第１の信号を受信した無線端末は、それぞれの位置に関する、第１の信号間の遅延時間と、第１の信号を受信した際の無線端末の位置とに関するデータが付加された第２の信号を、複数の基地局を介して本部装置へ送信し、本部装置は、複数セットの第１の信号間の遅延時間と無線端末の位置とに基づいて、それぞれの基地局の通信エリアマップを作成する。【選択図】図４
2020178231.tif 000002
【特許請求の範囲】
【請求項１】
本部装置と、
前記本部装置との間で通信を行う複数の基地局と、
複数の前記基地局との間で通信を行う無線端末とを備え、
複数の前記基地局は、前記無線端末に対して同時に第１の信号を送信し、
複数の位置において複数の前記基地局それぞれから前記第１の信号を受信した前記無線端末は、それぞれの位置に関する、前記第１の信号間の遅延時間と、前記第１の信号を受信した際の前記無線端末の位置とに関するデータが付加された第２の信号を、複数の前記基地局を介して前記本部装置へ送信し、
前記本部装置は、複数セットの前記第１の信号間の遅延時間と前記無線端末の位置とに基づいて、それぞれの前記基地局の通信エリアマップを作成する、
無線通信システム。
【請求項２】
請求項１に記載の無線通信システムであり、
前記本部装置は、それぞれの前記基地局の前記通信エリアマップを重ね合わせて、複数の前記基地局の通信エリアを合わせた前記通信エリアマップを作成する、
無線通信システム。
【請求項３】
請求項１または２に記載の無線通信システムであり、
前記無線端末は、前記第１の信号を受信した際の第１の受信レベルに関するデータを、前記第２の信号にさらに付加し、
前記本部装置は、前記第１の信号を受信した際の前記第１の受信レベルにも基づいて、それぞれの前記基地局の前記通信エリアマップを作成する、
無線通信システム。
【請求項４】
請求項３に記載の無線通信システムであり、
前記本部装置は、前記第２の信号に付加された前記第１の受信レベルを記録し、かつ、前記第１の受信レベルの変化に応じて対応する前記基地局の異常を検出する、
無線通信システム。
【請求項５】
請求項１から４のうちのいずれか１つに記載の無線通信システムであり、
複数の前記基地局それぞれは、前記第２の信号を受信した時刻と、前記第２の信号を受信した際の第２の受信レベルとに関するデータを、前記第２の信号にさらに付加し、
前記本部装置は、前記第２の信号を受信した時刻、および、前記第２の信号を受信した際の前記第２の受信レベルにも基づいて、それぞれの前記基地局の前記通信エリアマップを作成する、
無線通信システム。
【請求項６】
複数の基地局と、複数の前記基地局との間で通信を行う無線端末とを備える無線通信システムにおける無線端末であり、
複数の位置において、複数の前記基地局から同時に送信された第１の信号を受信し、
それぞれの位置に関する、前記第１の信号間の遅延時間と前記第１の信号を受信した際の前記無線端末の位置とに関するデータが付加された第２の信号を生成する、
無線端末。
【請求項７】
請求項６に記載の無線端末であり、
前記第１の信号を受信した際の受信レベルに関するデータを、前記第２の信号にさらに付加する、
無線端末。
【発明の詳細な説明】
【技術分野】
【０００１】
本願明細書に開示される技術は、無線通信システム、および、無線端末に関するものである。
【背景技術】
【０００２】
複数の基地局および移動体（無線端末）が無線通信を行う通信システムにおいては、複数の基地局からの信号を移動体（無線端末）でそれぞれ受信する。そして、あらかじめ求められたそれぞれの基地局からの信号の受信電界レベルの等電界曲線を用いて、それぞれの信号の受信電界レベルに対応する移動体の存在し得る通信エリアを求める。そして、それぞれの信号の受信電界レベルに対応する移動体の存在し得る通信エリアの重なりから、移動体の存在位置を検出することができる（たとえば、特許文献１である特公平６−９３６５０号公報を参照）。
【先行技術文献】
【特許文献】
【０００３】
【特許文献１】特公平６−９３６５０号公報
【発明の概要】
【発明が解決しようとする課題】
【０００４】
従来、基地局が移動体（無線端末）と通信可能な通信エリアを調査して通信エリアマップを作成する場合、複数の基地局が信号を送信すると、どの基地局が送信した信号なのか区別がつかなかった。そのため、１つの基地局ずつ信号を送信して無線端末との通信を行い、基地局が移動体（無線端末）と通信可能な通信エリアマップを作成する必要があった。そのため、通信エリアマップの作成には時間がかかっていた。
【０００５】
本願明細書に開示される技術は、以上に記載されたような問題を鑑みてなされたものであり、効率的に通信エリアマップの作成を行うための技術を提供することを目的とするものである。
【課題を解決するための手段】
【０００６】
本願明細書に開示される技術の第１の態様は、本部装置と、前記本部装置との間で通信を行う複数の基地局と、複数の前記基地局との間で通信を行う無線端末とを備え、複数の前記基地局は、前記無線端末に対して同時に第１の信号を送信し、複数の位置において複数の前記基地局それぞれから前記第１の信号を受信した前記無線端末は、それぞれの位置に関する、前記第１の信号間の遅延時間と、前記第１の信号を受信した際の前記無線端末の位置とに関するデータが付加された第２の信号を、複数の前記基地局を介して前記本部装置へ送信し、前記本部装置は、複数セットの前記第１の信号間の遅延時間と前記無線端末の位置とに基づいて、それぞれの前記基地局の通信エリアマップを作成する。
【０００７】
本願明細書に開示される技術の第２の態様は、複数の基地局と、複数の前記基地局との間で通信を行う無線端末とを備える無線通信システムにおける無線端末であり、複数の位置において、複数の前記基地局から同時に送信された第１の信号を受信し、それぞれの位置に関する、前記第１の信号間の遅延時間と前記第１の信号を受信した際の前記無線端末の位置とに関するデータが付加された第２の信号を生成する。
【発明の効果】
【０００８】
本願明細書に開示される技術の第１の態様は、本部装置と、前記本部装置との間で通信を行う複数の基地局と、複数の前記基地局との間で通信を行う無線端末とを備え、複数の前記基地局は、前記無線端末に対して同時に第１の信号を送信し、複数の位置において複数の前記基地局それぞれから前記第１の信号を受信した前記無線端末は、それぞれの位置に関する、前記第１の信号間の遅延時間と、前記第１の信号を受信した際の前記無線端末の位置とに関するデータが付加された第２の信号を、複数の前記基地局を介して前記本部装置へ送信し、前記本部装置は、複数セットの前記第１の信号間の遅延時間と前記無線端末の位置とに基づいて、それぞれの前記基地局の通信エリアマップを作成する。このような構成によれば、複数の基地局の通信エリアマップを並行して作成することができるため、１つの基地局あたりの通信エリアマップの作成時間を短縮することができる。
【０００９】
また、本願明細書に開示される技術の第２の態様は、複数の基地局と、複数の前記基地局との間で通信を行う無線端末とを備える無線通信システムにおける無線端末であり、複数の位置において、複数の前記基地局から同時に送信された第１の信号を受信し、それぞれの位置に関する、前記第１の信号間の遅延時間と前記第１の信号を受信した際の前記無線端末の位置とに関するデータが付加された第２の信号を生成する。このような構成によれば、無線端末が生成する第２の信号を用いて、複数の基地局の通信エリアマップを並行して作成することができる。そのため、１つの基地局あたりの通信エリアマップの作成時間を短縮することができる。
【００１０】
また、本願明細書に開示される技術に関連する目的と、特徴と、局面と、利点とは、以下に示される詳細な説明と添付図面とによって、さらに明白となる。
【図面の簡単な説明】
【００１１】
【図１】実施の形態に関する、無線端末、基地局および本部装置を含む無線通信システムの構成の例を示す図である。
【図２】実施の形態に関する無線通信システムにおける、無線端末、基地局および本部装置を配置の例を示す図である。
【図３】実施の形態に関する無線通信システムにおける、それぞれの構成の例を示すブロック図である。
【図４】実施の形態に関する本部装置、基地局および無線端末の動作の例を示すシーケンス図である。
【図５】無線端末がそれぞれの基地局へ送信する端末通知信号のデータ様式の例を示す図である。
【図６】基地局２０１が本部装置へ送信する信号のデータ様式の例を示す図である。
【図７】基地局２０２が本部装置へ送信する信号のデータ様式の例を示す図である。
【図８】基地局２０３が本部装置へ送信する信号のデータ様式の例を示す図である。
【図９】無線端末が受信した同時送信信号を分析して遅延波成分を分離したイメージを示す図である。
【図１０】それぞれの基地局が受信した端末通知信号を分析して遅延波成分を分離したイメージを示す図である。
【図１１】基地局のカバーエリアの一部、および、基地局から送信される信号の送信レベルの例を概念的に示す図である。
【図１２】図１１におけるＸ−Ｘ’面で切り取られた送信レベルの例を概念的に示す図である。
【図１３】基地局のカバーエリアの一部、および、基地局から送信される信号の送信レベルの例を概念的に示す図である。
【図１４】図１３におけるＸ−Ｘ’面で切り取られた送信レベルの例を概念的に示す図である。
【図１５】基地局のカバーエリアと基地局とは異なる位置に配置される基地局のカバーエリアとを合わせて示す図である。
【図１６】図１５におけるＸ−Ｘ’面で切り取られた送信レベルの例を概念的に示す図である。
【図１７】無線端末が位置する座標ごとに、無線端末から見た基準値信号の受信レベル、無線端末から見た遅延波の受信レベル、無線端末から見た基準値信号の受信タイミング、無線端末から見た遅延波の受信タイミング、基準値信号と遅延波との受信レベルの差、および、基準値信号と遅延波との受信タイミングの差の例をそれぞれ示す図である。
【図１８】図１５におけるＸ−Ｘ’面で切り取られた基地局の地形および基地局の地形を概念的に示す図である。
【図１９】本部装置のデータ処理部における、エリアマップを作成するためのフローチャートである。
【図２０】本部装置のデータベースに格納されている端末受信データおよび基地局受信データのデータ様式の例を示す図である。
【図２１】基地局のカバーエリアの一部、および、基地局から送信される信号の送信レベルの例を概念的に示す図である。
【図２２】図２１におけるＸ−Ｘ’面で切り取られた送信レベルの例を概念的に示す図である。
【図２３】基地局のカバーエリアの一部、および、基地局から送信される信号の送信レベルの例を概念的に示す図である。
【図２４】図２３におけるＸ−Ｘ’面で切り取られた送信レベルの例を概念的に示す図である。
【図２５】基地局のカバーエリアと基地局とは異なる位置に配置される基地局のカバーエリアとを合わせて示す図である。
【図２６】図２５におけるＸ−Ｘ’面で切り取られた送信レベルの例を概念的に示す図である。
【発明を実施するための形態】
【００１２】
以下、添付される図面を参照しながら実施の形態について説明する。以下の実施の形態では、技術の説明のために詳細な特徴なども示されるが、それらは例示であり、実施の形態が実施可能となるためにそれらすべてが必ずしも必須の特徴ではない。
【００１３】
なお、図面は概略的に示されるものであり、説明の便宜のため、適宜、構成の省略、または、構成の簡略化が図面においてなされるものである。また、異なる図面にそれぞれ示される構成などの大きさおよび位置の相互関係は、必ずしも正確に記載されるものではなく、適宜変更され得るものである。また、断面図ではない平面図などの図面においても、実施の形態の内容を理解することを容易にするために、ハッチングが付される場合がある。
【００１４】
また、以下に示される説明では、同様の構成要素には同じ符号を付して図示し、それらの名称と機能とについても同様のものとする。したがって、それらについての詳細な説明を、重複を避けるために省略する場合がある。
【００１５】
また、以下に記載される説明において、ある構成要素を「備える」、「含む」または「有する」などと記載される場合、特に断らない限りは、他の構成要素の存在を除外する排他的な表現ではない。
【００１６】
また、以下に記載される説明において、「第１の」または「第２の」などの序数が用いられる場合があっても、これらの用語は、実施の形態の内容を理解することを容易にするために便宜上用いられるものであり、これらの序数によって生じ得る順序などに限定されるものではない。
【００１７】
＜第１の実施の形態＞
以下、本実施の形態に関する無線通信システム、および、無線端末について説明する。
【００１８】
＜無線通信システムの構成について＞
図１は、本実施の形態に関する無線端末、基地局および本部装置を含む無線通信システムの構成の例を示す図である。
【００１９】
無線通信システム８００は、本部装置１００と、基地局２０１と、基地局２０２と、基地局２０３と、それぞれの基地局と通信する無線端末３００と、無線端末３００の位置情報を取得するためのｇｌｏｂａｌ  ｐｏｓｉｔｉｏｎｉｎｇ  ｓｙｓｔｅｍ（ＧＰＳ）４００とを備える。
【００２０】
図１においては、本部装置１００とそれぞれの基地局とを接続する通信経路５００と、それぞれの基地局と無線端末３００との間の無線通信経路６００と、ＧＰＳ４００から送信されるＧＰＳ信号７００とが示されている。
【００２１】
通信経路５００および無線通信経路６００は、ＩＰ回線または専用線などの一定周期のフレーム単位で信号を伝送する方式ではない方式（フレーム単位で信号を伝送しない方式）の通信を行う経路であるものとする。
【００２２】
本実施の形態では、無線通信システム８００はたとえば業務用無線システムであり、無線端末３００はたとえば車に搭載された無線機である。
【００２３】
無線端末３００は、基地局２０１、基地局２０２および基地局２０３と通信を行う。なお、無線端末３００の数は、１つに限られるものではなく、複数備えられていてもよい。
【００２４】
基地局２０１、基地局２０２および基地局２０３は、たとえば無指向性アンテナなどのアンテナを備えている。また、基地局２０１、基地局２０２および基地局２０３は、それぞれ対応する通信可能な通信エリア（カバーエリア）を有する。
【００２５】
基地局２０１、基地局２０２および基地局２０３は、同一周波数、かつ、同一内容の信号を、同一のタイミングで送信する。
【００２６】
ここで、図１に例が示される無線通信システム８００は、３つの基地局、すなわち、基地局２０１、基地局２０２および基地局２０３を備えているが、無線通信システムに備えられる基地局の数は図１に例の場合に限られるものではなく、無線通信システムは、たとえば４つ以上の基地局を備えていてもよい。
【００２７】
図２は、本実施の形態に関する無線通信システムにおける、無線端末、基地局および本部装置を配置の例を示す図である。
【００２８】
基地局２０１、基地局２０２および基地局２０３それぞれは、送信電力または受信感度の仕様によって、理論上または過去のシステム構築例の経験値に基づいて、カバーエリアを設計するものとする。
【００２９】
図２に例が示されるように、基地局２０１のカバーエリアはカバーエリア２１１であり、基地局２０２のカバーエリアはカバーエリア２１２であり、基地局２０３のカバーエリアはカバーエリア２１３である。
【００３０】
図２においては、基地局２０１のカバーエリア２１１における右側に基地局２０２のカバーエリア２１２が配置されている。また、基地局２０３のカバーエリア２１３は、カバーエリア２１１とカバーエリア２１２との間（中間）の下側に配置されている。
【００３１】
なお、図２に示される基地局２０１、基地局２０２および基地局２０３それぞれの配置は例であり、これらの配置は任意に変更可能である。
【００３２】
本部装置１００は、図２においてはカバーエリア２１１、カバーエリア２１２およびカバーエリア２１３の外側に位置しているが、いずれかのカバーエリアの内側に位置していてもよい。
【００３３】
図２に示される無線端末３００は、基地局２０１と基地局２０２との間に配置されている。また、図２に示される無線端末３００は、カバーエリア２１１の内側で、かつ、カバーエリア２１２に近い位置に配置されている。
【００３４】
ＧＰＳ４００は、本部装置１００、基地局２０１、基地局２０２、基地局２０３および無線端末３００が配置される位置の上方に位置している。また、ＧＰＳ４００は、ＧＰＳ信号７００を送信している。
【００３５】
本部装置１００からの信号は、通信経路５００を介して、基地局２０１、基地局２０２および基地局２０３へ送信される。そして、基地局２０１、基地局２０２および基地局２０３において受信された当該信号は、基地局２０１、基地局２０２および基地局２０３それぞれから無線通信経路６００で同一周波数で同時に送信され、かつ、無線端末３００に受信される。
【００３６】
ここで、本部装置１００、基地局２０１、基地局２０２および基地局２０３は、ＧＰＳ４００から送信された時刻の基準となる基準信号を受信している。そして、本部装置１００、基地局２０１、基地局２０２および基地局２０３それぞれは、当該基準信号に基づいて時刻が同期されている。
【００３７】
図３は、本実施の形態に関する無線通信システムにおける、それぞれの構成の例を示すブロック図である。なお、図３では、３つの基地局が同様の構成であるため、基地局２０１の構成の例のみが示されている。
【００３８】
図３に例が示されるように、本部装置１００は、ＧＰＳ受信部１１０と、時刻同期部１２０と、タイミング調整部１３０と、データ処理部１４０と、回線インターフェイス部１５０とを備えている。
【００３９】
ＧＰＳ受信部１１０は、ＧＰＳ４００から送信された基準信号を受信する。そして、ＧＰＳ受信部１１０は、当該基準信号を時刻情報として時刻同期部１２０に出力する。
【００４０】
時刻同期部１２０は、ＧＰＳ受信部１１０から取得した時刻情報に基づいて、本部装置１００における時刻の同期を行う。同期された後の時刻情報は、タイミング調整部１３０に出力される。
【００４１】
タイミング調整部１３０は、時刻同期部１２０において同期された時刻に基づいて、それぞれの基地局から無線端末３００に同時に信号を送信する時刻である送信指定時刻を算出する。なお、送信指定時刻の算出については後述する。算出された送信指定時刻は、データ処理部１４０に出力される。
【００４２】
データ処理部１４０は、タイミング調整部１３０から取得した送信指定時刻と、その他のヘッダ情報とを送信する信号に付加して回線インターフェイス部１５０に信号を送信する。回線インターフェイス部１５０は、データ処理部１４０から取得した信号を、通信経路５００を介して基地局２０１に送信する。
【００４３】
また、図３に例が示されるように、基地局２０１は、回線インターフェイス部２１０と、データ処理部２２０と、ＧＰＳ受信部２３０と、時刻同期部２４０と、タイミング調整部２５０と、無線インターフェイス部２６０とを備えている。
【００４４】
回線インターフェイス部２１０は、本部装置１００の回線インターフェイス部１５０から送信された信号を受信してデータ処理部２２０に出力する。
【００４５】
データ処理部２２０は、回線インターフェイス部２１０から取得した信号をタイミング調整部２５０に出力する。このとき、データ処理部２２０は、取得した信号に含まれる送信指定時刻を抽出する。すなわち、データ処理部２２０は、回線インターフェイス部２１０が受信した信号に付加された送信指定時刻を抽出する機能を有している。
【００４６】
一方で、ＧＰＳ受信部２３０は、ＧＰＳ４００から送信された基準信号を受信する。そして、ＧＰＳ受信部２３０は、当該基準信号を時刻情報として時刻同期部２４０に出力する。
【００４７】
時刻同期部２４０は、ＧＰＳ受信部２３０から取得した時刻情報に基づいて、基地局２０１における時刻の同期を行う。同期された後の時刻情報は、タイミング調整部２５０に出力される。
【００４８】
タイミング調整部２５０は、データ処理部２２０から取得した信号を保持する。また、タイミング調整部２５０は、当該信号に付加されている送信指定時刻になると、無線インターフェイス部２６０に当該信号を出力する。すなわち、タイミング調整部２５０は、データ処理部２２０が抽出した送信指定時刻に信号を無線端末３００に送信するように、時刻同期部２４０において同期された時刻に基づいて上記の信号の送信タイミングを調整する機能を有している。
【００４９】
無線インターフェイス部２６０は、タイミング調整部２５０から取得した信号を、無線通信経路６００を介して無線端末３００に送信する。すなわち、無線インターフェイス部２６０は、タイミング調整部２５０において調整された送信タイミングで信号を無線端末３００に送信する機能を有している。
【００５０】
次に、本部装置１００のタイミング調整部１３０による、送信指定時刻の算出方法について説明する。
【００５１】
まず、タイミング調整部１３０が送信指定時刻を算出する前に、本部装置１００は、通信経路５００における信号伝送の遅延時間である回線遅延時間をあらかじめ把握する必要がある。
【００５２】
回線遅延時間の算出について、以下説明する。
【００５３】
上記のとおり、本部装置１００、基地局２０１、基地局２０２および基地局２０３は、互いに時刻が同期されている。この状態で、本部装置１００は、本部装置１００からそれぞれの基地局に信号を送信する時刻である本部送信時刻の情報を含むあらかじめ定められた信号を、基地局２０１、基地局２０２および基地局２０３に送信する。
【００５４】
基地局２０１、基地局２０２および基地局２０３は、本部装置１００から信号を受信した基地局受信時刻と、本部装置１００から受信した当該信号に含まれる本部送信時刻との差を、本部装置１００からそれぞれの基地局への通信方向における回線遅延時間として算出する。
【００５５】
すなわち、基地局２０１、基地局２０２および基地局２０３は、回線インターフェイス部２１０が受信した信号に含まれる、本部装置１００の回線インターフェイス部１５０が信号を送信した本部送信時刻と、回線インターフェイス部２１０が信号を受信した基地局受信時刻との差を回線遅延時間として算出する機能を有している。
【００５６】
なお、当該機能は、データ処理部２２０が有していてもよく、または、図示しない他の構成要素が有してもよい。
【００５７】
そして、基地局２０１、基地局２０２および基地局２０３それぞれは、算出された回線遅延時間を、通信経路５００を介して本部装置１００に通知する。
【００５８】
本部装置１００は、それぞれの基地局との間の回線遅延時間を考慮しつつ、ＧＰＳ４００から送信された基準信号に基づいて、それぞれの基地局からの信号の送信タイミングが同一となるように、それぞれの基地局に信号の送信タイミングを指示する。そして、基地局２０１、基地局２０２および基地局２０３それぞれは、対応する回線遅延時間を考慮しつつ基準信号に基づいて調整されたタイミングで、同時送信信号を送信する。
【００５９】
図３に例が示されるように、無線端末３００は、無線部３１０と、変復調部３２０と、送受信信号処理部３３０とを備えている。
【００６０】
無線部３１０は、基地局２０１と無線通信するための無線回路である。無線部３１０は、受信した信号を変復調部３２０へ入力する。また、無線部３１０は、ＧＰＳ信号７００を受信して位置情報を取得する処理も行う。
【００６１】
変復調部３２０は、無線部３１０から入力された信号を復調データ化する。そして、変復調部３２０は、復調データ化したデータを、送受信信号処理部３３０に入力する。
【００６２】
送受信信号処理部３３０は、変復調部３２０から入力されたデータから、受信データ（たとえば、音声情報など）を取得し、さらに、受信レベルを算出する。
【００６３】
算出された受信レベルの情報は、無線端末３００が送信する信号に付加するため、送受信信号処理部３３０において保持されるデータに組み込まれる。
【００６４】
そして、無線端末３００から信号を送信する際には、送受信信号処理部３３０で送信するためのデータを生成して変復調部３２０へ出力する。さらに、当該データが変復調部３２０で変調されて無線信号に変換される。その後、当該無線信号が無線部３１０に入力されることによって無線端末３００から無線信号が送信される。
【００６５】
図３の基地局２０１における無線インターフェイス部２６０は、無線端末３００から受信した信号を復調する。そして、無線インターフェイス部２６０は、復調されたデータから、受信レベルおよび受信タイミングを算出する。そして、無線インターフェイス部２６０は、算出した受信レベルおよび受信タイミングを、タイミング調整部２５０、データ処理部２２０、さらには、回線インターフェイス部２１０を経由して、本部装置１００に送信する。
【００６６】
図３の本部装置１００におけるデータ処理部１４０は、基地局２０１から受信した信号を取り込む。そして、データ処理部１４０は、基地局２０１の基地局受信データと無線端末３００の端末受信データとを格納する。さらに、データ処理部１４０は、格納された情報に基づいて、通信エリアマップを作成する。
【００６７】
＜無線通信システムの動作について＞
次に、無線通信システムの動作について説明する。
【００６８】
図４は、本実施の形態に関する本部装置１００、基地局および無線端末３００の動作の例を示すシーケンス図である。なお、図４における基地局は、基地局２０１、基地局２０２および基地局２０３それぞれに対応する。
【００６９】
図４に例が示されるように、本部装置１００は、送信指定時刻Ｔ１で同時送信信号を送信するように、それぞれの基地局に指示する（ステップＳＴ１０１）。
【００７０】
そして、それぞれの基地局は、ステップＳＴ１０１における指示を受信すると、送信指定時刻Ｔ１に、無線端末３００に対し同時送信信号を同時に送信する（ステップＳＴ２０１）。
【００７１】
次に、無線端末３００は、それぞれの基地局から同時送信信号を受信する。そして、無線端末３００は、受信した同時送信信号に対するそれぞれの基地局からの信号間の遅延時間である端末遅延時間を算出する。さらに、無線端末３００は、自身のＧＰＳ情報を取得する（ステップＳＴ３０１）。
【００７２】
そして、無線端末３００は、端末遅延時間の情報およびＧＰＳ情報を、送信する端末通知信号に付加する。そして、無線端末３００は、端末遅延時間の情報およびＧＰＳ情報が付加された上記の端末通知信号を、任意のタイミングでそれぞれの基地局へ送信する（ステップＳＴ３０２）。無線端末３００は、複数の位置においてそれぞれの基地局から同時送信信号を受信し、さらに、それぞれの位置に関する端末遅延時間の情報およびＧＰＳ情報が付加された上記の端末通知信号を、それぞれの基地局へ送信する。
【００７３】
それぞれの基地局は、無線端末３００からの端末通知信号を受信する（ステップＳＴ２０２）。そして、それぞれの基地局は、端末通知信号に付加されている端末遅延時間の情報およびＧＰＳ情報を、本部装置１００へ通知する（ステップＳＴ２０３）。
【００７４】
本部装置１００は、それぞれの基地局から通知された端末遅延時間の情報およびＧＰＳ情報に基づいて、通信エリアマップを作成する（ステップＳＴ１０２）。
【００７５】
ここで、端末遅延時間は「受信された」信号間の遅延時間を示すものであり、受信された信号の受信レベルが０であり信号が受信されていないと判断される場合には、遅延時間の算出には含まれない。
【００７６】
図５は、無線端末３００がそれぞれの基地局へ送信する端末通知信号のデータ様式の例を示す図である。
【００７７】
図５に例が示されるように、無線端末３００がそれぞれの基地局へ送信する端末通知信号には、端末受信データとして、基地局から同時送信信号を受信した際の無線端末３００の座標値と、それぞれの基地局からの同時送信信号の受信レベル（受信レベル１、受信レベル２および受信レベル３）と、それぞれの基地局に対応する信号間の遅延時間（端末遅延時間１および端末遅延時間２）とが格納されている。
【００７８】
図６は、基地局２０１が本部装置１００へ送信する信号のデータ様式の例を示す図である。
【００７９】
図６に例が示されるように、基地局２０１が本部装置１００へ送信する信号には、端末受信データとしての、無線端末３００から送信された端末通知信号に格納されていた無線端末３００の座標値、信号の受信レベル（受信レベル１、２および３）、および、信号間の遅延時間（端末遅延時間１および端末遅延時間２）に加えて、基地局受信データとして、基地局２０１が無線端末３００から端末通知信号を受信した時刻と、基地局２０１が無線端末３００から端末通知信号を受信した際の受信レベルとが格納されている。
【００８０】
図７は、基地局２０２が本部装置１００へ送信する信号のデータ様式の例を示す図である。
【００８１】
図７に例が示されるように、基地局２０２が本部装置１００へ送信する信号には、端末受信データとしての、無線端末３００から送信された端末通知信号に格納されていた無線端末３００の座標値、信号の受信レベル（受信レベル１、２および３）、および、信号間の遅延時間（端末遅延時間１および端末遅延時間２）に加えて、基地局受信データとして、基地局２０２が無線端末３００から端末通知信号を受信した時刻と、基地局２０２が無線端末３００から端末通知信号を受信した際の受信レベルとが格納されている。
【００８２】
図８は、基地局２０３が本部装置１００へ送信する信号のデータ様式の例を示す図である。
【００８３】
図８に例が示されるように、基地局２０３が本部装置１００へ送信する信号には、端末受信データとしての、無線端末３００から送信された端末通知信号に格納されていた無線端末３００の座標値、信号の受信レベル（受信レベル１、２および３）、および、信号間の遅延時間（端末遅延時間１および端末遅延時間２）に加えて、基地局受信データとして、基地局２０３が無線端末３００から端末通知信号を受信した時刻と、基地局２０３が無線端末３００から端末通知信号を受信した際の受信レベルとが格納されている。
【００８４】
図９は、無線端末３００が受信した同時送信信号を分析して遅延波成分を分離したイメージを示す図である。なお、無線端末３００から見て、基地局２０１が最も近くに位置しており、かつ、基地局２０３が最も遠くに位置しているものとする。
【００８５】
図９においては、無線端末３００が受信した同時送信信号（すなわち、基地局２０１が送信した信号）を基準値信号Ｓ３７１とし、無線端末３００が２番目に受信した同時送信信号（すなわち、基地局２０２が送信した信号）を遅延波Ｓ３７２とし、無線端末３００が３番目に受信した同時送信信号（すなわち、基地局２０３が送信した信号）を遅延波Ｓ３７３とする。
【００８６】
すると、図９に例が示されるように、無線端末３００に最も近く位置する基地局２０１からの基準値信号Ｓ３７１が受信レベルが高く、かつ、受信タイミングも早い。
【００８７】
また、無線端末３００までの距離が遠くなるにしたがって、遅延波Ｓ３７２、遅延波Ｓ３７３の順で受信レベルが低くなり、また、遅延波Ｓ３７２、遅延波Ｓ３７３の順で受信タイミングが遅くなる。
【００８８】
図１０は、それぞれの基地局が受信した端末通知信号を分析して遅延波成分を分離したイメージを示す図である。なお、無線端末３００から見て、基地局２０１が最も近くに位置しており、かつ、基地局２０３が最も遠くに位置しているものとする。
【００８９】
図１０においては、基地局２０１が受信した端末通知信号（すなわち、無線端末３００が送信した信号）を基準値信号Ｓ２７１とし、基地局２０２が受信した端末通知信号（すなわち、無線端末３００が送信した信号）を遅延波Ｓ２７２とし、基地局２０３が受信した端末通知信号（すなわち、無線端末３００が送信した信号）を遅延波Ｓ２７３とする。
【００９０】
すると、図９に例が示されるように、基地局２０１が無線端末３００から受信した基準値信号Ｓ２７１が受信レベルが高く、かつ、受信タイミングも早い。
【００９１】
また、無線端末３００からの距離が遠くなるにしたがって、遅延波Ｓ２７２、遅延波Ｓ２７３の順で受信レベルが低くなり、また、遅延波Ｓ２７２、遅延波Ｓ２７３の順で受信タイミングが遅くなる。
【００９２】
図１１は、基地局２０１のカバーエリアの一部、および、基地局２０１から送信される信号の送信レベルの例を概念的に示す図である。
【００９３】
図１１においては、基地局２０１は３×３領域の中央（Ｂ２）に位置するものとする。また、送信レベルは、基地局２０１が位置する箇所における５が最大値であるものとする。
【００９４】
また、図１２は、図１１におけるＸ−Ｘ’面で切り取られた送信レベルの例を概念的に示す図である。図１２においては、縦軸が送信レベルを示し、横軸がカバーエリアにおける位置を示す。
【００９５】
図１２においては、図１１における３×３領域の外側を含めた送信レベルが示されている。また、送信レベルは、基地局２０１が位置する箇所における５が最大となり、基地局２０１が位置する箇所から離れるにしたがって順次低くなっている。
【００９６】
図１３は、基地局２０２のカバーエリアの一部、および、基地局２０２から送信される信号の送信レベルの例を概念的に示す図である。
【００９７】
図１３においては、基地局２０２は３×３領域の中央（Ｅ２）に位置するものとする。また、送信レベルは、基地局２０２が位置する箇所における５が最大値であるものとする。
【００９８】
また、図１４は、図１３におけるＸ−Ｘ’面で切り取られた送信レベルの例を概念的に示す図である。図１４においては、縦軸が送信レベルを示し、横軸がカバーエリアにおける位置を示す。
【００９９】
図１４においては、図１３における３×３領域の外側を含めた送信レベルが示されている。また、送信レベルは、基地局２０２が位置する箇所における５が最大となり、基地局２０２が位置する箇所から離れるにしたがって順次低くなっている。
【０１００】
図１５は、基地局２０１のカバーエリアと基地局２０１とは異なる位置に配置される基地局２０２のカバーエリアとを合わせて示す図である。
【０１０１】
図１５においては、基地局２０１は６×３領域のＢ２に位置するものとする。また、基地局２０２は６×３領域のＥ２に位置するものとする。
【０１０２】
また、図１６は、図１５におけるＸ−Ｘ’面で切り取られた送信レベルの例を概念的に示す図である。図１６においては、縦軸が送信レベルを示し、横軸がカバーエリアにおける位置を示す。
【０１０３】
図１６においては、図１５におけるカバーエリアの外側を含めた送信レベルが示されている。また、送信レベルは、基地局２０１が位置する箇所および基地局２０２が位置する箇所がそれぞれ最大となっている。
【０１０４】
図１６によれば、無線端末３００がたとえば６×３領域のＢ２に位置する場合、無線端末３００が受信する基地局２０１からの信号の受信レベルは５であり、無線端末３００が受信する基地局２０２からの信号の受信レベルは２である。
【０１０５】
図１７は、無線端末３００が位置する座標ごとに、無線端末３００から見た基準値信号の受信レベル、無線端末３００から見た遅延波（すなわち、基地局２０２からの信号）の受信レベル、無線端末３００から見た基準値信号の受信タイミング、無線端末３００から見た遅延波（すなわち、基地局２０２からの信号）の受信タイミング、基準値信号と遅延波との受信レベルの差、および、基準値信号と遅延波との受信タイミングの差の例をそれぞれ示す図である。なお、図１７において、受信タイミングの差は１０μｓ単位である。
【０１０６】
図１７によれば、無線端末３００が位置する座標がＢ２である場合、基準値信号の受信レベルは５であり、遅延波の受信レベルは２であり、基準値信号の受信タイミングは０（基準タイミング）であり、遅延波の受信タイミングは３であり、基準値信号と遅延波との受信レベルの差は３であり、基準値信号と遅延波との受信タイミングの差は３である。
【０１０７】
また、無線端末３００が位置する座標がＣ２である場合、基準値信号の受信レベルは４であり、遅延波の受信レベルは３であり、基準値信号の受信タイミングは１であり、遅延波の受信タイミングは２であり、基準値信号と遅延波との受信レベルの差は１であり、基準値信号と遅延波との受信タイミングの差は１である。
【０１０８】
また、無線端末３００が位置する座標がＤ２である場合、基準値信号の受信レベルは４であり、遅延波の受信レベルは３であり、基準値信号の受信タイミングは２であり、遅延波の受信タイミングは１であり、基準値信号と遅延波との受信レベルの差は１であり、基準値信号と遅延波との受信タイミングの差は１である。
【０１０９】
また、無線端末３００が位置する座標がＥ２である場合、基準値信号の受信レベルは５であり、遅延波の受信レベルは２であり、基準値信号の受信タイミングは３であり、遅延波の受信タイミングは０であり、基準値信号と遅延波との受信レベルの差は３であり、基準値信号と遅延波との受信タイミングの差は３である。
【０１１０】
図１８は、図１５におけるＸ−Ｘ’面で切り取られた基地局２０１の地形および基地局２０２の地形を概念的に示す図である。
【０１１１】
図１８においては、６×３領域のＢ２に位置する基地局２０１と、６×３領域のＥ２に位置する基地局２０２と、無線端末３００とが示されている。
【０１１２】
図１８に例が示されるように、無線端末３００がＢ２に位置している場合、無線端末３００は、基地局２０１からの信号の受信タイミングが０となり、基地局２０２からの信号の受信タイミングは３となる。すなわち、相対的な受信タイミングの差は３となる。
【０１１３】
一方で、無線端末３００がＣ２に位置している場合、無線端末３００は、基地局２０１からの信号の受信タイミングが１（０が基準とする）となり、基地局２０２からの信号の受信タイミングは２となる。すなわち、相対的な受信タイミングの差は１となる。
【０１１４】
また、無線端末３００がＤ２に位置している場合、無線端末３００は、基地局２０２からの信号の受信タイミングが１（０が基準とする）となり、基地局２０１からの信号の受信タイミングは２となる。すなわち、相対的な受信タイミングの差は１となる。
【０１１５】
また、無線端末３００がＥ２に位置している場合、無線端末３００は、基地局２０２からの信号の受信タイミングが０となり、基地局２０１からの信号の受信タイミングは３となる。すなわち、相対的な受信タイミングの差は３となる。
【０１１６】
図１９は、本部装置１００のデータ処理部１４０における、エリアマップを作成するためのフローチャートである。
【０１１７】
まず、データ処理部１４０は、それぞれの基地局から信号を受信する（ステップＳＴ１７１）。
【０１１８】
次に、データ処理部１４０は、受信した信号から、端末受信データを抽出する（ステップＳＴ１７２）。端末受信データに基づけば、無線端末３００が同時送信信号を受信した際の、無線端末３００の座標値を把握することができる。また、端末受信データにおけるそれぞれの基地局からの同時送信信号の受信レベルおよび信号間の遅延時間を用いて、同時送信信号を受信した際の無線端末３００の座標値から見た、それぞれの基地局までの距離を把握することができる。
【０１１９】
次に、データ処理部１４０は、受信した信号から、基地局受信データを抽出する（ステップＳＴ１７３）。基地局受信データに基づけば、それぞれの基地局が端末通知信号を受信した際の時刻、および、それぞれの基地局から無線端末３００までの距離を把握することができる。
【０１２０】
次に、データ処理部１４０は、抽出した端末受信データおよび基地局受信データを、データベースに格納する（ステップＳＴ１７４）。
【０１２１】
次に、データ処理部１４０は、データベースに格納されている、複数箇所において得られた端末受信データおよび基地局受信データを用いて、基地局２０１、基地局２０２および基地局２０３それぞれのカバーエリアマップを作成する（ステップＳＴ１７５）。
【０１２２】
次に、データ処理部１４０は、作成したそれぞれのカバーエリアマップを重ね合わせることによって、複数の基地局を備える無線通信システム８００の通信エリアを示すマップを作成する（ステップＳＴ１７６）。
【０１２３】
図２０は、本部装置１００のデータベースに格納されている端末受信データおよび基地局受信データのデータ様式の例を示す図である。
【０１２４】
図２０に例が示されるように、データベースには、基地局２０１からの信号に付加された端末受信データとして、無線端末３００から送信された端末通知信号に格納されていた無線端末３００の座標値「Ａ１」、同時送信信号の受信レベルである受信レベル１「Ｌｖ１」、受信レベル２「Ｌｖ２」および受信レベル３「Ｌｖ３」、信号間の遅延時間である端末遅延時間１「Δｔ２」および端末遅延時間２「Δｔ３」が格納されている。また、データベースには、基地局２０１からの信号に付加された基地局受信データとして、基地局２０１が無線端末３００から端末通知信号を受信した時刻「Ｔ１」および基地局２０１が無線端末３００から端末通知信号を受信した際の受信レベル「Ｌｖｂ１」が格納されている。
【０１２５】
また、データベースには、基地局２０２からの信号に付加された端末受信データとして、無線端末３００から送信された端末通知信号に格納されていた無線端末３００の座標値「Ａ１」、同時送信信号の受信レベルである受信レベル１「Ｌｖ１」、受信レベル２「Ｌｖ２」および受信レベル３「Ｌｖ３」、信号間の遅延時間である端末遅延時間１「Δｔ２」および端末遅延時間２「Δｔ３」が格納されている。また、データベースには、基地局２０２からの信号に付加された基地局受信データとして、基地局２０２が無線端末３００から端末通知信号を受信した時刻「Ｔ２」および基地局２０２が無線端末３００から端末通知信号を受信した際の受信レベル「Ｌｖｂ２」が格納されている。
【０１２６】
また、データベースには、基地局２０３からの信号に付加された端末受信データとして、無線端末３００から送信された端末通知信号に格納されていた無線端末３００の座標値「Ａ１」、同時送信信号の受信レベルである受信レベル１「Ｌｖ１」、受信レベル２「Ｌｖ２」および受信レベル３「Ｌｖ３」、信号間の遅延時間である端末遅延時間１「Δｔ２」および端末遅延時間２「Δｔ３」が格納されている。また、データベースには、基地局２０３からの信号に付加された基地局受信データとして、基地局２０３が無線端末３００から端末通知信号を受信した時刻「Ｔ３」および基地局２０３が無線端末３００から端末通知信号を受信した際の受信レベル「Ｌｖｂ３」が格納されている。
【０１２７】
また、データベースには、無線端末３００の座標値が「Ａ２」、「Ａ３」、「Ａ４」、「Ａ５」、「Ｂ１」、「Ｂ２」、「Ｂ３」、「Ｂ４」、「Ｂ５」、「Ｃ１」、「Ｃ２」、「Ｃ３」・・・の場合にも、同様に対応する端末受信データおよび基地局受信データが格納されている。
【０１２８】
本部装置１００は、格納されているデータを用いて、無線端末３００が同時送信信号を受信した際の無線端末３００の座標値ごとに、基地局からの同時送信信号の受信レベルおよび信号間の遅延時間をプロットする。そして、本部装置１００は、無線通信システム８００の通信エリアを示すエリアマップを作成する。
【０１２９】
上記のように、本実施の形態に関する無線通信システム８００では、複数の基地局から同時に信号が送信され、当該同時送信信号を受信する無線端末３００が同時送信信号の受信レベルおよび信号間の遅延時間を用いて基地局ごとに当該同時送信信号を区別する。そうすることによって、複数の基地局から送信される同時送信信号を用いて、無線通信システム８００の通信エリアを効率的に調査することができる。
【０１３０】
＜第２の実施の形態＞
本実施の形態に関する無線通信システム、および、無線端末について説明する。なお、以下の説明においては、以上に記載された実施の形態で説明された構成要素と同様の構成要素については同じ符号を付して図示し、その詳細な説明については適宜省略するものとする。
【０１３１】
基地局のアンテナが破損した場合、当該基地局では信号を送信したつもりでも、信号を受信しているはずの無線端末から応答がないと、当該基地局のアンテナが破損しているために信号を正常に送信することができず無線端末に信号自体が届いていないのか、基地局のアンテナは破損しておらず無線端末に問題が生じていて基地局からの信号を受信することができないのか、または、基地局のアンテナは破損しておらず無線端末に問題が生じていて基地局からの信号を受信することはできるが応答となる信号を送信することができないのかが、分からない状況となってしまう。
【０１３２】
また、基地局のアンテナが中途半端な破損状態（アンテナが折れる、または、アンテナが曲がるなど）である場合、当該アンテナが正常である場合に比べて信号が届く通信エリアが小さくなっていることに気付きにくい。
【０１３３】
本実施の形態では、アンテナ異常などによって適切に送信レベルを満たせない状態の基地局がある場合に、当該基地局の異常を検出する方法を説明する。
【０１３４】
図２１は、基地局２０１のカバーエリアの一部、および、基地局２０１から送信される信号の送信レベルの例を概念的に示す図である。
【０１３５】
図２１においては、基地局２０１は３×３領域の中央（Ｂ２）に位置するものとする。また、送信レベルは、基地局２０１が位置する箇所における５が最大値であるものとする。
【０１３６】
また、図２２は、図２１におけるＸ−Ｘ’面で切り取られた送信レベルの例を概念的に示す図である。図２２においては、縦軸が送信レベルを示し、横軸がカバーエリアにおける位置を示す。
【０１３７】
図２２においては、図２１における３×３領域の外側を含めた送信レベルが示されている。また、送信レベルは、基地局２０１が位置する箇所における５が最大となり、基地局２０１が位置する箇所から離れるにしたがって順次低くなっている。この送信レベルの状態は、基地局２０１が正常に動作している状態を示すものである。
【０１３８】
図２３は、基地局２０２のカバーエリアの一部、および、基地局２０２から送信される信号の送信レベルの例を概念的に示す図である。
【０１３９】
図２３においては、基地局２０２は３×３領域の中央（Ｅ２）に位置するものとする。また、送信レベルは、基地局２０２がアンテナ異常などによって適切に送信レベルを満たせない状態であるため、基地局２０２が位置する箇所を含むすべての箇所で０となっている。
【０１４０】
また、図２４は、図２３におけるＸ−Ｘ’面で切り取られた送信レベルの例を概念的に示す図である。図２４においては、縦軸が送信レベルを示し、横軸がカバーエリアにおける位置を示す。
【０１４１】
図２４においては、図２３における３×３領域の外側を含めた送信レベルが示されている。また、送信レベルは、基地局２０２がアンテナ異常などによって適切に送信レベルを満たせない状態であるため、基地局２０２が位置する箇所を含むすべての箇所で０となっている。
【０１４２】
図２５は、基地局２０１のカバーエリアと基地局２０１とは異なる位置に配置される基地局２０２のカバーエリアとを合わせて示す図である。
【０１４３】
図２５においては、基地局２０１は６×３領域のＢ２に位置するものとする。また、基地局２０２は６×３領域のＥ２に位置するものとする。
【０１４４】
また、図２６は、図２５におけるＸ−Ｘ’面で切り取られた送信レベルの例を概念的に示す図である。図２６においては、縦軸が送信レベルを示し、横軸がカバーエリアにおける位置を示す。
【０１４５】
図２６においては、図２５におけるカバーエリアの外側を含めた送信レベルが示されている。また、送信レベルは、基地局２０１が位置する箇所が最大となっている一方で、基地局２０２のカバーエリアにおける送信レベルが適切に満たされていないため、基地局２０２が位置する箇所でも送信レベルのピークが形成されていない。すなわち、基地局２０１単独のカバーエリアと同様の送信レベルとなっている。
【０１４６】
図２６によれば、無線端末３００がたとえば６×３領域のＢ２に位置する場合、無線端末３００が受信する基地局２０１からの信号の受信レベルは５であり、無線端末３００が受信する基地局２０２からの信号の受信レベルは０である。
【０１４７】
このように受信レベルの差が５となってしまう場合、図１７に示された基地局２０２が通常動作している場合の受信レベルの差である３とは大きく異なる結果となる。
【０１４８】
本部装置１００のデータ処理部１４０は、同時送信信号の基地局間の受信レベルの差を記録し、さらに、それを監視することによって、当該受信レベルの差がそれぞれの基地局が通常動作している場合と大きく異なる結果が抽出された場合、すなわち、同時送信信号の受信レベルに変化が生じた場合に、送信レベルが適切に満たされていない基地局、すなわち、異常である基地局を検出することができる。
【０１４９】
なお、本部装置１００のデータ処理部１４０は、それぞれの基地局が通常動作している場合の基地局間の受信レベルの差をあらかじめデータベースに記録しておき、上記の異常検出に用いることができる。また、異常検出の判断には、別途判断テーブルを設けてもよい。
【０１５０】
上記のように、本実施の形態に関する無線通信システムによれば、基地局の異常を検出するための機構を別途設けずに基地局の異常を検出することができる。そのため、基地局修理のための初動および基地局の回復が早まるという効果が得られる。
【０１５１】
＜以上に記載された実施の形態によって生じる効果について＞
次に、以上に記載された実施の形態によって生じる効果の例を示す。なお、以下の説明においては、以上に記載された実施の形態に例が示された具体的な構成に基づいて当該効果が記載されるが、同様の効果が生じる範囲で、本願明細書に例が示される他の具体的な構成と置き換えられてもよい。
【０１５２】
また、当該置き換えは、複数の実施の形態に跨ってなされてもよい。すなわち、異なる実施の形態において例が示されたそれぞれの構成が組み合わされて、同様の効果が生じる場合であってもよい。
【０１５３】
以上に記載された実施の形態によれば、無線通信システムは、本部装置１００と、基地局２０１、基地局２０２および基地局２０３と、無線端末３００とを備える。基地局２０１、基地局２０２および基地局２０３は、本部装置１００との間で通信を行う。無線端末３００は、基地局２０１、基地局２０２および基地局２０３との間で通信を行う。基地局２０１、基地局２０２および基地局２０３は、無線端末３００に対して同時に第１の信号を送信する。そして、複数の位置において基地局２０１、基地局２０２および基地局２０３それぞれから第１の信号を受信した無線端末３００は、それぞれの位置に関する、第１の信号間の遅延時間（すなわち、端末遅延時間）と、第１の信号を受信した際の無線端末３００の位置とに関するデータが付加された第２の信号を、基地局２０１、基地局２０２および基地局２０３を介して本部装置１００へ送信する。ここで、第１の信号は、たとえば、同時送信信号に対応するものである。また、第２の信号は、たとえば、端末通知信号に対応するものである。そして、本部装置１００は、複数セットの同時送信信号間の遅延時間と無線端末３００の位置とに基づいて、基地局２０１、基地局２０２および基地局２０３の通信エリアマップを作成する。
【０１５４】
このような構成によれば、複数の基地局の通信エリアマップを並行して作成することができるため、１つの基地局あたりの通信エリアマップの作成時間を短縮することができる。
【０１５５】
なお、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【０１５６】
また、以上に記載された実施の形態によれば、本部装置１００は、それぞれの基地局の通信エリアマップを重ね合わせて、基地局２０１の通信エリア、基地局２０２の通信エリアおよび基地局２０３の通信エリアを合わせた通信エリアマップを作成する。このような構成によれば、無線通信システムに備えられる基地局全体の通信エリアを把握することができる。
【０１５７】
また、以上に記載された実施の形態によれば、無線端末３００は、同時送信信号を受信した際の受信レベルに関するデータを、端末通知信号にさらに付加する。そして、本部装置１００は、同時送信信号を受信した際の受信レベルにも基づいて、それぞれの基地局の通信エリアマップを作成する。このような構成によれば、複数の基地局の位置を高い精度で把握し、かつ、通信エリアの外縁を高い精度で把握することができる。
【０１５８】
また、以上に記載された実施の形態によれば、本部装置１００は、端末通知信号に付加された同時送信信号の受信レベルを記録し、かつ、同時送信信号の受信レベルの変化に応じて対応する基地局の異常を検出する。このような構成によれば、基地局の異常を検出するための機構を別途設けずに基地局の異常を検出することができる。そのため、基地局修理のための初動および基地局の回復が早まるという効果が得られる。また、基地局ごとに個別の異常点検を行う手間を省くことができる。
【０１５９】
また、以上に記載された実施の形態によれば、基地局２０１、基地局２０２および基地局２０３それぞれは、端末通知信号を受信した時刻と、端末通知信号を受信した際の受信レベルとに関するデータを、端末通知信号にさらに付加する。そして、本部装置１００は、端末通知信号を受信した時刻、および、端末通知信号を受信した際の受信レベルにも基づいて、それぞれの基地局の通信エリアマップを作成する。このような構成によれば、下り側の信号に関する通信エリアに加えて、上り側の信号に関する通信エリアも把握することができる。
【０１６０】
以上に記載された実施の形態によれば、無線端末は、複数の位置において、基地局２０１、基地局２０２および基地局２０３から同時に送信された同時送信信号を受信する。そして、無線端末は、それぞれの位置に関する、同時送信信号間の遅延時間と同時送信信号を受信した際の無線端末３００の位置とに関するデータが付加された端末通知信号を生成する。
【０１６１】
このような構成によれば、無線端末が生成する端末通知信号を用いて、複数の基地局の通信エリアマップを並行して作成することができる。そのため、１つの基地局あたりの通信エリアマップの作成時間を短縮することができる。
【０１６２】
なお、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【０１６３】
また、以上に記載された実施の形態によれば、無線端末は、同時送信信号を受信した際の受信レベルに関するデータを、端末通知信号にさらに付加する。このような構成によれば、複数の基地局の位置を高い精度で把握し、かつ、通信エリアの外縁を高い精度で把握することができる。
【０１６４】
＜以上に記載された実施の形態における変形例について＞
以上に記載された実施の形態では、それぞれの構成要素の材質、材料、寸法、形状、相対的配置関係または実施の条件などについても記載する場合があるが、これらはすべての局面においてひとつの例であって、本願明細書に記載されたものに限られることはないものとする。
【０１６５】
したがって、例が示されていない無数の変形例、および、均等物が、本願明細書に開示される技術の範囲内において想定される。たとえば、少なくとも１つの構成要素を変形する場合、追加する場合または省略する場合、さらには、少なくとも１つの実施の形態における少なくとも１つの構成要素を抽出し、他の実施の形態における構成要素と組み合わせる場合が含まれるものとする。
【０１６６】
また、矛盾が生じない限り、以上に記載された実施の形態において「１つ」備えられるものとして記載された構成要素は、「１つ以上」備えられていてもよいものとする。
【０１６７】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【０１６８】
また、以上に記載された実施の形態におけるそれぞれの構成要素には、同一の機能を発揮する限り、他の構造または形状を有する構造物が含まれるものとする。
【０１６９】
また、本願明細書における説明は、本技術に関連するすべての目的のために参照され、いずれも、従来技術であると認めるものではない。
【０１７０】
また、以上に記載された実施の形態で記載されたそれぞれの構成要素は、ソフトウェアまたはファームウェアとしても、それと対応するハードウェアとしても想定され、その双方の概念において、それぞれの構成要素は「部」または「処理回路」（ｃｉｒｃｕｉｔｒｙ）などと称される。
【０１７１】
また、本願明細書に開示される技術は、それぞれの構成要素が複数の装置に分散して備えられる場合、すなわち、システムのような態様であってもよいものとする。
【符号の説明】
【０１７２】
１００  本部装置、１１０，２３０  ＧＰＳ受信部、１２０，２４０  時刻同期部、１３０，２５０  タイミング調整部、１４０，２２０  データ処理部、１５０，２１０  回線インターフェイス部、２０１，２０２，２０３  基地局、２１１，２１２，２１３  カバーエリア、２６０  無線インターフェイス部、３００  無線端末、３１０  無線部、３２０  変復調部、３３０  送受信信号処理部、４００  ＧＰＳ、５００  通信経路、６００  無線通信経路、７００  ＧＰＳ信号、８００  無線通信システム、Ｓ２７１，Ｓ３７１  基準値信号、Ｓ２７２，Ｓ２７３，Ｓ３７２，Ｓ３７３  遅延波。
【図１】
2020178231.tif 000003
【図２】
2020178231.tif 000004
【図３】
2020178231.tif 000005
【図４】
2020178231.tif 000006
【図５】
2020178231.tif 000007
【図６】
2020178231.tif 000008
【図７】
2020178231.tif 000009
【図８】
2020178231.tif 000010
【図９】
2020178231.tif 000011
【図１０】
2020178231.tif 000012
【図１１】
2020178231.tif 000013
【図１２】
2020178231.tif 000014
【図１３】
2020178231.tif 000015
【図１４】
2020178231.tif 000016
【図１５】
2020178231.tif 000017
【図１６】
2020178231.tif 000018
【図１７】
2020178231.tif 000019
【図１８】
2020178231.tif 000020
【図１９】
2020178231.tif 000021
【図２０】
2020178231.tif 000022
【図２１】
2020178231.tif 000023
【図２２】
2020178231.tif 000024
【図２３】
2020178231.tif 000025
【図２４】
2020178231.tif 000026
【図２５】
2020178231.tif 000027
【図２６】
2020178231.tif 000028